(57)【要約】【課題】光学素子の移動または運搬時の光学素子への物体または手指などの身体の接触による汚染、破損、潮解の進行などを防止し光学素子を使用した光学装置の性能劣化を防止する。【解決手段】光学素子１６が固着されているビームスプリッタユニット１０の開口部前面および後面を保護板で遮蔽する構造を備えた光学素子ホルダ２４を設ける。この光学素子ホルダ２４によって光学素子１６の移動または運搬時の光学素子１６への物体または手指などの身体の接触を防止し、光学素子１６の汚染、破損または潮解の進行および光学素子１６を使用した光学装置の性能劣化を防止することが可能になる。【選択図】          図１
2004219919.tif 000002
【特許請求の範囲】
【請求項１】
光学素子の一部を把持して保持する保持部と、この保持部に取り付けるとともに保持された光学素子に近接しかつ光学素子の前面および後面を保護する保護板を備えたことを特徴とする光学素子ホルダ。
【発明の詳細な説明】
【０００１】
【発明の属する技術分野】
本発明は、分光光度計に内設されるプリズム、窓板、フィルタなどの光学素子に係わり、特にこれらを保持する光学素子ホルダに関する。
【０００２】
【従来の技術】
分光光度計などの光学装置に内設される光学素子は、光学素子の移動または運搬時に物材に当接したりまた操作者の手指などが直接光学素子に接触することを避けるため、光学素子を取り付け金具等で保持し、光学素子の移動または運搬時には光学素子そのものを把持せず、この取り付け金具部分を把持して運搬している。
【０００３】
たとえばフーリエ変換赤外分光光度計（ＦＴＩＲ）の干渉計に内蔵される光学素子および、光学素子を取り付けたビームスプリッタユニットの場合つぎのとおりである。
【０００４】
このＦＴＩＲは、図３に示すように赤外光源として機能する赤外光発生用ヒータ８、放物面鏡７、ビームスプリッタユニット１０、固定鏡４、移動鏡６、赤外光透過窓５、１１からなる干渉計１と、マイケルソン型干渉計を構成するためのＨｅ・Ｎｅレーザ２、放物面鏡１２、楕円面鏡１３、試料室１４、検出器９と、干渉計１の制御およびデータ処理部などの電気系を制御する制御部３とから構成されている。ビームスプリッタユニット１０、赤外光透過窓５、１１には光学素子が内蔵されている。光学素子は、測定に用いられる赤外光Ｌを吸収しないことを要求され、通常臭化カリウム（ＫＢｒ）あるいは塩化ナトリウム（ＮａＣｌ）等が使用される。
【０００５】
図４は特にビームスプリッタユニット１０の構成を示す図で、このビームスプリッタユニット１０は光学素子１６および、光学素子取り付け金具１５から構成されている。光学素子１６は前記のように通常臭化カリウム（ＫＢｒ）あるいは塩化ナトリウム（ＮａＣｌ）等が使用され、光学素子１６を囲繞する光学素子取り付け金具１５に固定されている。光学素子１６は光学素子取り付け金具１５の中央部にたとえばネジ止め等の着脱可能な手段で固定される。光学素子取り付け金具１５の光学素子１６を取り付けている部分は開口となっているので図３の赤外光Ｌは光学素子取り付け金具１５に遮られることなく光学素子１６を透過する。
【０００６】
なお光学素子ホルダに関連する先行技術文献情報を調査したが発見されなかった。
【０００７】
【発明が解決しようとする課題】
従来の光学素子１６を支持する光学素子取り付け金具１５の構造は以上のとおりであるが、この構造では物体または手指などの身体が直接光学素子１６に接触することを避けるため、光学素子１６を光学素子取り付け金具１５で保持し、光学素子の移動または運搬時に際しては、光学素子１６そのものを把持せずに光学素子取り付け金具１５を把持して移動または運搬しているものの、光学素子取り付け金具１５の開口部への物体または手指などの身体の接触を防止する構造は備えられておらず操作者の注意のみに任されていた。したがって、光学素子取り付け金具１５の開口部すなわち光学素子１６へ物体または手指などの身体の一部が触れて光学素子１６の汚染、破損、潮解の進行などの障害がしばしば発生していた。本発明はこのような問題点を解決する手段を提供することを目的とする。
【０００８】
【課題を解決するための手段】
本発明が提供する光学素子ホルダは上記課題を解決するために、光学素子取り付け金具の開口部前面および後面すなわち光学素子の露出面を保護板で遮蔽する構造を備えたものである。したがって光学素子の移動または運搬時光学素子への物体または手指などの身体の接触は阻止される。
【０００９】
【発明の実施の形態】
以下、本発明の光学素子ホルダを図１（ａ）および図１（ｂ）に示す実施例にしたがって説明する。図１（ａ）は光学素子ホルダ２４の側面図、図１（ｂ）は平面図である。基板２５の両側面には保護板２０が保護板取り付けネジ２３によって固着されている。また基板２５には取手２１が取手取り付けネジ２６によって固着されている。光学素子１６を固着したビームスプリッタユニット１０はユニット取り付けネジ２２によって基板２５に着脱される。
【００１０】
２枚の保護板２０は外方からの光学素子１６への物体または手指などの接触を防止するため光学素子１６よりも大きな面積を持ち、光学素子１６の全面および後面を覆う構造とする。基板２５にはビームスプリッタユニット１０の取り付けに際してビームスプリッタユニット１０の位置決めに便ならしめるために図１（ｂ）に示されるような切り込み部２５Ｋを有している。また前記のように基板２５には取手２１が取手取り付けネジ２６によって固着されており、光学素子ホルダ２４の移動または運搬に際してはこの取手２１を把持して操作されることになる。この構造によって光学素子１６へ外方からの物材または手指などの身体が直接接触することは生じない。
【００１１】
本発明の光学素子ホルダについては上記の実施例に限定されるものではなく、種々の変形実施例を挙げることができる。たとえば保護板２０の形状は光学素子１６を覆うものであれば図１の形状に限定されない。基板２５と保護板２０、取手２１の固定方法についてはネジ止め以外にも溶接、接着など種々の方法があり、またビームスプリッタユニット１０の脱着構造についてもネジによらず、図２に示すように基板２９に設けたボール２７とバネ２８によりワンタッチでビームスプリッタユニット１０を脱着可能に固定するなど、種々の方法がある。保護板２０の形状も図１の２枚の板ではなく、ビームスプリッタユニット１０を囲む一枚の箱形の構造とすることもできる。
【００１２】
また図１の実施例では基板２５に切り込み部２５Ｋを設け、ビームスプリッタユニット１０を把持する取り付け具としてのガイドとしているが、本発明はこのガイドの有無およびその形状には限定されない。光学素子ホルダ２４の材料についても、図１の実施例では金属を使用しているが、透明性を有するプラスチック等の多くの材料を使用することができる。本発明はこれらをすべて包含する。なお、上記の説明では、光学素子１６はビームスプリッタユニット１０の構造の一部として説明しているが、本発明はたとえば図３の赤外光透過窓５、１１に使用されている光学素子をはじめ、一般の光学素子にも適用できることは明らかである。
【００１３】
【発明の効果】
本発明は以上詳述したとおりであるから、光学素子の前面および後面を共に保護する保護板を備えた光学素子ホルダを設けることによって、光学素子の移動または運搬に際して光学素子の面に操作者の手指など身体が直接接触することが防止され、移動、運搬などの作業も容易となる。また光学素子の汚染、破損または潮解の進行の促進および光学素子を使用した光学装置の性能劣化が防止される。
【図面の簡単な説明】
【図１】（ａ）は本発明の光学素子ホルダを示す側面図、（ｂ）は平面図
【図２】本発明の光学素子ホルダの変形実施例を示す断面図
【図３】従来のフーリエ変換赤外分光光度計の概略構成例
【図４】従来のビームスプリッタユニットの外観図
【符号の説明】
１  干渉計
２  Ｈｅ・Ｎｅレーザ
３  制御部
４  固定鏡
５  赤外光通過窓
６  移動鏡
７  放物面鏡
８  赤外光発生用ヒータ
９  検出器
１０  ビームスプリッタユニット
１１  赤外光通過窓
１２  放物面鏡
１３  楕円面鏡
１４  試料室
１５  光学素子取り付け金具
１６  光学素子
２０  保護板
２１  取手
２２  ユニット取り付けネジ
２３  保護板取り付けネジ
２４  光学素子ホルダ
２５  基板
２６  取手取り付けネジ
２７  ボール
２８  バネ
２９  基板
Ｌ  赤外光
【図１】
2004219919.tif 000003
【図２】
2004219919.tif 000004
【図３】
2004219919.tif 000005
【図４】
2004219919.tif 000006